(57)【要約】被呼者による、不在着信の受信確認を発呼者に通知するシステムおよび方法を開示する。被呼者および発呼者は、サービスに対する課金を可能にするための通知サービスに加入することができる。発呼者が被呼者への呼を開始したとき、被呼者はカバー・エリアの外にいるか、または話中の可能性があるので、呼は不在着信となる場合がある。被呼者が不在着信の記録を見ると、被呼者の無線装置上のアプリケーションによって、無線装置において通知が生成される。通知は次いで、発呼者に送信される。受信確認通知は、発呼者に直接、またはアプリケーション・サーバを介して送信され得る。
2012518310.tif 000002
【特許請求の範囲】
【請求項１】
被呼者が不在着信の通知を受信確認すると、発呼者に通知を行う、無線通信システムにおける方法であって、前記発呼者が、前記被呼者への前記不在着信を開始しており、
前記被呼者が、前記発呼者からの前記不在着信に関する前記不在着信通知を見て、受信確認すると、前記発呼者に通知を送信するステップ（５０３）を含む方法。
【請求項２】
前記発呼者が前記通知サービスに記名されている、請求項１に記載の方法。
【請求項３】
前記被呼者が前記通知サービスに記名されている、請求項１に記載の方法。
【請求項４】
前記被呼者の通信装置にあるアプリケーションが、通知を送信するよう、前記被呼者に促す（６０５）、請求項１に記載の方法。
【請求項５】
前記アプリケーションが前記通知を自動的に送信する（５０３）、請求項１および請求項４に記載の方法。
【請求項６】
前記アプリケーションが、前記被呼者から確認を受信すると、前記通知を送信する（７０３）、請求項１および請求項４に記載の方法。
【請求項７】
前記通知が、
ショート・メッセージ・サービス（ＳＭＳ）、
マルチメディア・メッセージ・サービス（ＭＭＳ）、および
無線アプリケーション・プロトコル（ＷＡＰ）メッセージの１つである、請求項１に記載の方法。
【請求項８】
前記通知が前記アプリケーションによって予め定義される、請求項１および請求項４に記載の方法。
【請求項９】
前記通知が前記被呼ユーザによって定義される、請求項１に記載の方法。
【請求項１０】
前記通知が、アプリケーション・サーバを介して前記発呼者に送信される、請求項１に記載の方法。
【請求項１１】
前記アプリケーション・サーバが、前記発呼者が前記通知サービスに記名されているかどうか検証する（５０４）、請求項１に記載の方法。
【請求項１２】
前記通知が、前記発呼者および前記被呼者のネットワークを介して前記発呼者に直接送信される、請求項１に記載の方法。
【請求項１３】
発呼者から不在着信を受信することが可能な通信装置であって、
前記発呼者の通知を送信するよう、前記装置が前記通信装置のユーザに促すための促進手段と、
前記通信装置が前記発呼者に前記通知を送信するための送信手段とを備える装置。
【請求項１４】
前記通信装置が、前記通知を、
ショート・メッセージ・サービス（ＳＭＳ）、
マルチメディア・メッセージ・サービス（ＭＭＳ）、および
無線アプリケーション・プロトコル（ＷＡＰ）メッセージの１つの形で送信するように適合される、請求項１３に記載の通信装置。
【発明の詳細な説明】
【技術分野】
【０００１】
本明細書における実施形態は、無線通信システムに関し、より詳細には、無線通信システムにおいて不在着信の受信確認に関する通知を与えるシステムおよび方法に関する。
【背景技術】
【０００２】
無線通信装置の被呼者に不在着信の警告を与えるための、多くのソリューションが存在する。不在着信とは、応答されない呼、話中音を返す呼、（被呼者によって意図的に、もしくは被呼者の携帯装置内のアプリケーションによって）拒否される呼、または無線装置が電源をオフにされているか、もしくはカバー・エリアの外にいるケースでよい。既存ソリューションは、被呼者がカバー・エリア内におり、もしくはカバー・エリア内に戻り、または携帯装置が電源を入れられたときに、被呼者に不在着信をＳＭＳの形で通知する。あるいは、合図の形のアラート信号を被呼者に送信してもよい。ただし、発呼者は、呼が受信済みである場合は被呼者から確認を受信しない。また、要求されるアクションが被呼者によってとられるかどうかに関しては保証がない。これにより、不在着信を被呼者が見たかどうかに関わらず、発呼者は不明確な状況におかれる。
【０００３】
無線通信サービス・プロバイダは、加入者に、不在着信警告に登録するための機構を提供する。被呼者がカバー・エリアの外にいるか、または呼を受け付けることができないせいで不在着信があるとき、カバー・エリアに被呼者が到達すると、ＳＭＳが被呼者に送信され、呼の時刻、発呼者のｉｄなどの詳細を明らかにする。しかし、呼を受けられない時間と、呼を受けなかったことを被呼者が警告される時間との間には時間のずれがある。また、被呼者の電話に音声メッセージを残す機構もある。他の公知のソリューションでは、呼転送機構も存在する。予め記憶された番号に呼が転送される場合、被呼者が呼に応答することができないケースでは、この番号は、被呼者によって予め記憶される。さらに、被呼者によって指定されたやり方で、不在着信について被呼者に通知し、気づかせるシステムがある。
【０００４】
別の方法では、不在着信を管理するコンピュータ格納プログラムを利用する。サーバが、不在着信の情報、呼の時刻および他の詳細を追跡する。後になって、被呼者は、不在着信を知らされる。このプロセスは煩わしく、時間遅延も伴う。
【発明の概要】
【課題を解決するための手段】
【０００５】
上記を鑑みて、本明細書における実施形態は、被呼者が不在着信を受信確認したという通知を発呼者に与えるシステムおよび方法を提供する。この方法は、被呼者が発呼者からの不在着信を見ると、発呼者に通知を送信することを含む。被呼者および発呼者は両方とも、通知サービスに記名されている。被呼者の通信装置にあるアプリケーションが、通知を送信するよう、被呼者に促す。通知は、被呼者からの確認があってから、または自動的に送信してよい。このアプリケーションは、不在着信の受信確認に関する通知を送信しないように構成することもできる。被呼者装置上のアプリケーションは、ユーザ定義の通知テキストを提供することもできる。通知は、発呼者に送信される。さらに、通知は、ＳＭＳ、ＭＭＳまたはＷＡＰメッセージの形でよく、これはアプリケーションによって予め定義され得る。
【０００６】
実施形態では、不在着信の受信確認の通知を与える方法をさらに開示するが、この方法において、通知は、発呼者が通知サービスに記名されているかどうかを検証するアプリケーション・サーバを通る。通信装置は、発呼者に通知を送信するよう、通信装置のユーザに装置が促すための促進手段と、通信装置が発呼者に通知を送信するための送信手段とを備える。
【０００７】
本明細書における実施形態のこうしたおよび他の態様は、以下の説明および添付の図面と併せて検討するとよりよく理解されよう。
【０００８】
本明細書における実施形態は、図面を参照する以下の詳細な説明からよりよく理解されよう。
【図面の簡単な説明】
【０００９】
【図１】本明細書における実施形態による、不在着信の受信確認に関する通知のためのシステムを示すブロック図である。
【図２】本明細書における実施形態による、不在着信の受信確認に関する通知のためのシステムを示すブロック図である。
【図３】本明細書における実施形態による、不在着信の受信確認に関する通知のためのシステムを示すブロック図である。
【図４】本明細書における実施形態による、不在着信の受信確認に関する通知のためのシステムを示すブロック図である。
【図５】本明細書における実施形態による、被呼者による確認が行われた際の、発呼者への、不在着信の受信確認に関する通知の送信を示すフロー図である。
【図６−１】本明細書における実施形態による、被呼者による確認が行われると、不在着信の受信確認に関する通知を発呼者に送信する方法を示すフロー・チャートである。
【図６−２】本明細書における実施形態による、被呼者による確認が行われると、不在着信の受信確認に関する通知を発呼者に送信する方法を示すフロー・チャートである。
【図７】本明細書における実施形態による、被呼者による確認が行われた際の、発呼者への、不在着信の受信確認に関する通知の送信を示すフロー図である。
【図８−１】本明細書における実施形態による、被呼者による確認が行われると、不在着信の受信確認に関する通知を発呼者に送信する方法を示すフロー・チャートである。
【図８−２】本明細書における実施形態による、被呼者による確認が行われると、不在着信の受信確認に関する通知を発呼者に送信する方法を示すフロー・チャートである。
【図９】本明細書における実施形態による、被呼者からのいかなる確認もなしでの、発呼者への、不在着信の受信確認に関する通知の送信を示すフロー図である。
【図１０−１】本明細書における実施形態による、被呼者の確認なしで、不在着信の受信確認に関する通知を発呼者に送信する方法を示すフロー・チャートである。
【図１０−２】本明細書における実施形態による、被呼者の確認なしで、不在着信の受信確認に関する通知を発呼者に送信する方法を示すフロー・チャートである。
【図１１】本明細書における実施形態による、被呼者からのいかなる確認もなしでの、発呼者への、不在着信の受信確認に関する通知の送信を示すフロー図である。
【図１２−１】本明細書における実施形態による、被呼者の確認なしで、不在着信の受信確認に関する通知を発呼者に送信する方法を示すフロー・チャートである。
【図１２−２】本明細書における実施形態による、被呼者の確認なしで、不在着信の受信確認に関する通知を発呼者に送信する方法を示すフロー・チャートである。
【図１３】本明細書における実施形態による、不在着信の受信確認に関する通知のためのシステムを示すブロック図である。
【図１４】本明細書における実施形態による、被呼者による確認が行われた際の、発呼者への、不在着信の受信確認に関する通知の送信を示すフロー図である。
【図１５】本明細書における実施形態による、被呼者による確認が行われると、不在着信の受信確認に関する通知を発呼者に送信する方法を示すフロー・チャートである。
【図１６】本明細書における実施形態による、不在着信の受信確認に関する通知のためのシステムを示すブロック図である。
【図１７】本明細書における実施形態による、被呼者による確認が行われた際の、発呼者への、不在着信の受信確認に関する通知の送信を示すフロー図である。
【図１８】本明細書における実施形態による、被呼者による確認が行われると、不在着信の受信確認に関する通知を発呼者に送信する方法を示すフロー・チャートである。
【発明を実施するための形態】
【００１０】
本明細書における実施形態ならびにその様々な特徴および有利な詳細を、添付の図面に示すとともに以下の説明において詳述する非限定的実施形態を参照して、より十分に説明する。よく知られた構成要素および処理技術の記述は、本明細書における実施形態を不必要に不明瞭にすることがないように省いてある。本明細書で用いる例は、本明細書における実施形態がどのように実施され得るかについての理解を容易にし、さらに、当業者が本明細書における実施形態を実施することを可能にすることを意図しているに過ぎない。したがって、こうした例は、本明細書における実施形態の範囲を限定するものと企図されるべきではない。
【００１１】
本明細書における実施形態は、被呼者が不在着信記録を見ると、不在着信の受信確認に関する通知を発呼者に与えるシステムおよび方法を達成する。ここで図面、より具体的には図１〜１８を参照するが、類似した参照符号は、図面を通して一貫して対応する特徴を示し、図中には実施形態を示してある。
【００１２】
発呼者が呼を開始したとき、被呼者が呼を受けるのに失敗した場合、呼は不在着信となり得る。呼は、話中音を返す場合、または無線装置がカバー・エリアの外にあるか、もしくは電源をオフにされているケースでは、不在着信になり得る。不在着信通知は、被呼者への呼のやり直しなど、特定のタスクを被呼者に思い起こさせるのに使われる。概して、被呼者への不在着信警告は、たとえば呼の時刻、発呼者の識別番号などの詳細を明らかにする。このような通知は、確実に、要求されるアクションが被呼者によってとられ、呼の目的が達成されるようにする。被呼者が不在着信の記録を見ると、発呼者に通知が送信される。通知は、ショート・サービス・メッセージ（ＳＭＳ）、マルチメディア・メッセージ・サービス（ＭＭＳ）、無線アプリケーション・プロトコル（ＷＡＰ）メッセージまたは他の適切などのメッセージ通信手段の形でもよい。通知は、アプリケーション・サーバを介して、発呼者のアドレスを最終的な宛先アドレスとして、または発呼者に直接送信され得る。アプリケーション・サーバは、発呼者の加入を確認する。確認されると、アプリケーション・サーバによって通知が発呼者に送信される。無線装置において設定される通知の送信は、被呼者を確認してからでも、被呼者が不在着信記録を見てから自動的にでもよい。
【００１３】
図１は、本明細書における実施形態による、被呼者による、不在着信の受信確認に関する通知を与えるためのシステムを示すブロック図である。発呼者１０１は、ネットワーク１０２を介して、被呼者１０３への呼を開始する。ネットワーク１０２は、単一のネットワークを備え、この場合、発呼者１０１および被呼者１０４は同じネットワークに属す。ネットワーク１０２は、アプリケーション・サーバ１０３も備える。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースでよい。被呼者１０４が不在着信の記録を見ると、被呼者１０４の無線装置１０４は通知を生成し、通知はアプリケーション・サーバ１０３に送信される。無線装置は、被呼者１０４から確認を受信すると、アプリケーション・サーバ１０３に通知を送信してよい。無線装置は、自動的に、すなわち被呼者１０４からのいかなる確認もなしで、アプリケーション・サーバ１０３に通知を送信してもよい。通知は、被呼者１０４が不在着信を見た時刻、被呼者が不在着信の通知を受けた時刻、宛先アドレスとしての発呼者１０１のアドレスなどのような情報を含む。通知テキストは、被呼者１０４によって定義することもできる。通知は、ＳＭＳ、ＭＭＳ、ＷＡＰメッセージまたは他の適切などのメッセージ通信手段の形でもよい。通知は、アプリケーション・サーバ１０３に送信され、サーバ１０３は、発呼者１０１がサービスの加入者であることを確かめるためにチェックを行う。発呼者１０１の加入を確認すると、アプリケーション・サーバ１０３は、発呼者１０１に通知を転送し、こうすることによって、不在着信が被呼者１０４によって見られたことを発呼者１０１に通知する。加入に課金する目的で、アプリケーション・サーバ番号が、被呼者１０４の無線装置に格納される。加入モデルにより、通知の料金は、不在着信を開始した発呼者１０１によって負担される。被呼者１０４によるサービスの加入は、不在着信受信確認の送信を被呼者が受諾することを示す。発呼者によるサービスの加入は、通知サービスに関して、サービス・プロバイダがこのサービスを有料サービスにしたい場合、料金を負担するという被呼者の意向を示す。ただし、被呼者１０４が通知サービスの料金を引き受けることも可能である。
【００１４】
図２は、本明細書における実施形態による、被呼者による、不在着信の受信確認に関する通知を与えるためのシステムを示すブロック図である。発呼者１０１は、ネットワーク１０２を介して、被呼者１０３への呼を開始する。ネットワーク１０２は、単一のネットワークを備え、この場合、発呼者１０１および被呼者１０４は同じネットワークに属す。ネットワーク１０２は、アプリケーション・サーバ１０３も備える。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースでよい。被呼者１０４が不在着信の記録を見ると、無線装置上のアプリケーション２０１が起動される。アプリケーション２０１は、テキストがユーザ定義でよい通知を生成する。アプリケーション２０１は、被呼者１０４から確認を受信すると、アプリケーション・サーバ１０３に通知を送信してよい。アプリケーション２０１は、被呼者による、不在着信の受信確認に関する通知を送信する／送信しないという選択肢を与えることができる。アプリケーション２０１は、不在着信に関する受信確認を送信する前は、被呼者１０４が通知を受けないように構成することもできる。これは、不在着信が受信確認された際に要求されていない通知を送信するように、被呼者がアプリケーションを設定しているケースである。アプリケーション２０１は、発呼者１０１にいかなる通知も送信しないように構成することもできる。アプリケーション２０１は、通知の一部として届けられるテキストを定義するという選択肢を被呼者に与えることもできる。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。通知は、アプリケーション・サーバ１０３に送信され、サーバ１０３は、発呼者１０１がサービスの加入者であることを確かめるためにチェックを行う。発呼者１０１の加入を確認すると、アプリケーション・サーバ１０３は、発呼者１０１に通知を転送し、こうすることによって、不在着信が被呼者１０４によって見られたことを発呼者１０１に通知する。加入に課金する目的で、アプリケーション・サーバ番号が、被呼者１０４の無線装置に格納される。加入モデルにより、通知の料金は、不在着信を開始した発呼者１０１によって負担される。ただし、被呼者１０４が通知サービスの料金を引き受けることも可能である。
【００１５】
図３は、本明細書における実施形態による、被呼者による、不在着信の受信確認に関する通知を与えるためのシステムを示すブロック図である。発呼者１０１は、ネットワーク３０１、３０２を介して被呼者１０４への呼を開始するが、ここで発呼者１０１はネットワーク３０１に属し、被呼者１０４はネットワーク３０２に属す。ネットワーク３０１は、アプリケーション・サーバ１０３も備える。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースでよい。被呼者１０４が不在着信の記録を見ると、被呼者１０４の無線装置１０４は通知を生成し、この通知はネットワーク３０２を介して、ネットワーク３０１内にあるアプリケーション・サーバ１０３に送信される。無線装置は、被呼者１０４から確認を受信すると、アプリケーション・サーバ１０３に通知を送信してよい。無線装置は、自動的に、すなわち被呼者１０４からのいかなる確認もなしで、アプリケーション・サーバ１０３に通知を送信してもよい。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。通知は、アプリケーション・サーバ１０３に送信され、サーバ１０３は、発呼者１０１がサービスの加入者であることを確かめるためにチェックを行う。発呼者１０１の加入を確認すると、アプリケーション・サーバ１０３は、発呼者１０１に通知を転送し、こうすることによって、不在着信が被呼者１０４によって見られたことを発呼者１０１に通知する。加入に課金する目的で、アプリケーション・サーバ番号が、被呼者１０４の無線装置に格納される。加入モデルにより、通知の料金は、不在着信を開始した発呼者１０１によって負担される。ただし、被呼者１０４が通知サービスの料金を引き受けることも可能である。
【００１６】
図４は、本明細書における実施形態による、被呼者による、不在着信の受信確認に関する通知を与えるためのシステムを示すブロック図である。発呼者１０１は、ネットワーク３０１、３０２を介して被呼者１０４への呼を開始するが、ここで発呼者１０１はネットワーク３０１に属し、被呼者１０４はネットワーク３０２に属す。ネットワーク３０１は、アプリケーション・サーバ１０３も備える。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースでよい。被呼者１０４が不在着信の記録を見ると、無線装置上のアプリケーション２０１が起動される。アプリケーション２０１は、ユーザ定義でよい通知を生成する。アプリケーション２０１は、被呼者１０４から確認を受信すると、ネットワーク３０２を介して、ネットワーク３０１内にあるアプリケーション・サーバ１０３に通知を送信してよい。アプリケーション２０１は、被呼者１０４が、不在着信に対する受信確認を送信する前は通知を受けないように構成することもできる。これは、不在着信が受信確認された際に要求されていない通知を送信するように、被呼者がアプリケーションを設定しているケースである。アプリケーション２０１は、発呼者１０１にいかなる通知も送信しないように構成することもできる。アプリケーション２０１は、通知の一部として届けられるテキストを定義するという選択肢を被呼者に与えることもできる。通知は、被呼者１０４が不在着信を見た時刻、宛先アドレスとしての発呼者１０１のアドレスなどのような情報を含む。通知は、被呼者１０４によって定義することもできる。通知は、被呼者１０４によって定義することもできる。通知は、ＳＭＳ、ＭＭＳ、ＷＡＰメッセージまたは他の適切などのメッセージ通信手段の形でもよい。通知は、アプリケーション・サーバ１０３に送信され、サーバ１０３は、発呼者１０１がサービスの加入者であることを確かめるためにチェックを行う。発呼者１０１の加入を確認すると、アプリケーション・サーバ１０３は、発呼者１０１に通知を転送し、こうすることによって、不在着信が被呼者１０４によって見られたことを発呼者１０１に通知する。加入に課金する目的で、アプリケーション・サーバ番号が、被呼者１０４の無線装置に格納される。加入モデルにより、通知の料金は、不在着信を開始した発呼者１０１によって負担される。ただし、被呼者１０４が通知サービスの料金を引き受けることも可能である。
【００１７】
図５は、本明細書における実施形態による、被呼者による確認が行われた際の、発呼者への不在着信の通知の送信を示すフロー図である。発呼者１０１が、被呼者１０４への呼を開始する（５０１）。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースとして定義され得る。不在着信は、被呼者１０４の無線通信装置における不在着信のリストに記録される。発呼者１０１および被呼者１０４は両方とも、通知サービスに加入している。被呼者１０４が不在着信の記録を見ると、被呼者１０４の無線装置は、通知を生成する（５０２）。ポップアップが、被呼者１０４の無線装置に現れ得る。ポップアップは、被呼者１０４に対して、通知を送信するための確認を依頼する。被呼者１０４が確認を行うと、被呼者１０４の無線装置は、アプリケーション・サーバ１０３に通知を送信する（５０３）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。アプリケーション・サーバ１０３は、発呼者１０１が通知サービスの登録加入者であるかどうか確認するために、発呼者１０１の加入をチェックする（５０４）。さらに、発呼者１０１が通知サービスの登録加入者である場合、アプリケーション・サーバ１０３は、発呼者１０１に通知を転送する（５０５）。加入に課金する目的で、アプリケーション・サーバ１０３の番号が、被呼者１０４の無線装置に格納される。加入モデルにより、通知の料金は、不在着信を開始した発呼者１０１によって負担される。ただし、被呼者１０４が通知サービスの料金を引き受けることも可能である。
【００１８】
図６は、本明細書における実施形態による、被呼者による確認が行われると、不在着信の受信確認に関する通知を発呼者に送信する方法を示すフロー・チャートである。発呼者１０１が、被呼者１０４に対して呼を始める（６０１）。呼は、被呼者１０４が話中で呼に応答することができない可能性があり、またはネットワークのカバー・エリアの外にいる可能性があるので、不在着信となる場合がある。不在着信は、被呼者１０４の無線装置における不在着信のリストに記録される。被呼者１０４の無線装置は、発呼者１０１からの不在着信の記録を被呼者１０４が見たかどうかチェックする（６０３）。被呼者１０４が記録を見ると、被呼者１０４の無線装置は、被呼者１０４の無線装置上で通知を生成する（６０４）。被呼者１０４の無線装置は、ポップアップを使って被呼者１０４に対して確認を依頼する（６０５）。被呼者１０４から確認を受信すると、被呼者１０４の無線装置は、アプリケーション・サーバ１０３に通知を送信する（６０６）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。アプリケーション・サーバ１０３は、発呼者１０１が不在着信通知サービスの加入者であるかどうかチェックする（６０７）。発呼者１０１が通知サービスの加入者である場合、アプリケーション・サーバ１０３は、発呼者１０１に通知を転送する（６０８）。アプリケーション・サーバ１０３は、番号を与えられるが、この番号は被呼者１０４および発呼者１０１両方の無線装置に格納される。この番号は、加入料金用に使われ得る。加入により、通知の料金が、不在着信を開始した発呼者１０１によって負担されることが保証される。方法６００の様々なアクションは、提示した順序で、異なる順序で、または同時に実施することができる。さらに、いくつかの実施形態では、図６に列挙したいくつかのアクションは、省いてもよい。
【００１９】
図７は、本明細書における実施形態による、被呼者による確認が行われた際の、発呼者への、不在着信の受信確認に関する通知の送信を示すフロー図である。発呼者１０１が、通信ネットワーク１０２を介して被呼者１０４への呼を開始する（７０１）。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースとして定義され得る。不在着信は、被呼者１０４の無線通信装置における不在着信のリストに記録される。発呼者１０１および被呼者１０４は両方とも、通知サービスに加入している。被呼者１０４が不在着信の記録を見ると、被呼者１０４の無線装置上のアプリケーション２０１が起動される。アプリケーション２０１は、通知を生成する（７０２）。被呼者１０４が確認を行うと、アプリケーション２０１は、アプリケーション・サーバ１０３に通知を送信する（７０３）。アプリケーション・サーバ１０３は、発呼者１０１が通知サービスの登録加入者であるかどうか確認するために、発呼者１０１の加入をチェックする（７０４）。さらに、発呼者１０１が通知サービスの登録加入者である場合、アプリケーション・サーバ１０３は、発呼者１０１に通知を転送する（７０５）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。加入に課金する目的で、アプリケーション・サーバ１０３の番号が、被呼者１０４の無線装置に格納される。加入モデルにより、通知の料金は、不在着信を開始した発呼者１０１によって負担される。ただし、被呼者１０４が通知サービスの料金を引き受けることも可能である。
【００２０】
図８は、本明細書における実施形態による、被呼者による確認が行われると、不在着信の受信確認に関する通知を発呼者に送信する方法を示すフロー・チャートである。発呼者１０１が、被呼者１０４に対して呼を始める（８０１）。呼は、被呼者１０４が話中で呼に応答することができない可能性があり、またはネットワークのカバー・エリアの外にいる可能性があるので、不在着信となる場合がある。不在着信は、被呼者１０４の無線装置における不在着信のリストに記録される。発呼者１０１ならびに被呼者１０４は、自分の無線装置にアプリケーション２０１をインストールする。アプリケーション２０１は、発呼者１０１からの不在着信の記録を被呼者１０４が見たかどうかチェックする（８０３）。被呼者１０４が記録を見ると、アプリケーション２０１は、被呼者１０４の無線装置上で通知を生成する（８０４）。アプリケーション２０１は、ポップアップを使って被呼者１０４に対して確認を依頼する（８０５）。被呼者１０４から確認を受信すると、アプリケーション２０１は、アプリケーション・サーバ１０３に通知を送信する（８０６）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。アプリケーション・サーバ１０３は、発呼者１０１が不在着信通知サービスの加入者であるかどうかチェックする（８０７）。発呼者１０１が通知サービスの加入者である場合、アプリケーション・サーバ１０３は、通信ネットワーク１０２を介して発呼者１０１に通知を転送する（８０８）。アプリケーション・サーバ１０３は、番号を与えられるが、この番号は被呼者１０４および発呼者１０１両方の無線装置に格納される。この番号は、加入料金用に使われ得る。加入モデルにより、通知の料金は、不在着信を開始した発呼者１０１によって負担される。ただし、被呼者１０４が通知サービスの料金を引き受けることも可能である。方法８００の様々なアクションは、提示した順序で、異なる順序で、または同時に実施することができる。さらに、いくつかの実施形態では、図８に列挙したいくつかのアクションは、省いてもよい。
【００２１】
図９は、本明細書における実施形態による、被呼者に対していかなる確認も求められることなく、不在着信の受信確認に関する通知を発呼者に送信するフロー図を示す。発呼者１０１が、被呼者１０３への呼を開始する（９０１）。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。発呼者１０１が話中の可能性があり、またはネットワークのカバー・エリアの外にいる可能性があるので、呼は不在着信となる場合がある。不在着信は、被呼者１０４の無線装置に記録される。発呼者１０１および被呼者１０４は両方とも、通知サービスに加入している。被呼者１０４が不在着信の記録を見ると、被呼者１０４の無線装置は、通知を生成する（９０２）。通知は、被呼者１０４に対するいかなる確認もなしで、アプリケーション・サーバ１０３に送信される（９０３）。通知を受信した（９０４）アプリケーション・サーバは、通知サービスに対する発呼者１０１の加入を確認する。さらに、発呼者１０４が通知サービスの登録加入者である場合、アプリケーション・サーバ１０３は、発呼者１０４に通知を転送する（９０５）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。アプリケーション・サーバ１０３番号の番号は、発呼者１０１および被呼者１０４両方の無線装置に格納される。この番号は、加入料金用に使われ得る。加入モデルにより、通知の料金は、不在着信を開始した発呼者１０１によって負担される。ただし、被呼者１０４が通知サービスの料金を引き受けることも可能である。
【００２２】
図１０は、本明細書における実施形態による、被呼者の確認なしで、不在着信の受信確認に関する通知を発呼者に送信する方法を示すフロー図である。発呼者１０１が、被呼者１０３への呼を開始する（１００１）。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。発呼者１０１が話中の可能性があり、またはネットワークのカバー・エリアの外にいる可能性があるので、呼は不在着信になる場合がある。不在着信は、被呼者１０４の無線装置における不在着信のリストに記録される。アプリケーション・サーバ１０３は、呼が不在着信であるかどうかチェックする（１００２）。呼が不在着信でない場合、プロセスは終了する。被呼者１０４の無線装置は、被呼者１０４が被呼者１０４による不在着信の記録を見たかどうかチェックする（１００３）。被呼者１０４が記録を見ると、被呼者１０４の無線装置は、通知を生成する（１００４）。通知は、被呼者１０４に対していかなる確認も求められることなく、アプリケーション・サーバ１０３に送信される（１００５）。アプリケーション・サーバ１０３は、発呼者１０１が不在着信通知サービスの加入者であるかどうかチェックする（１００６）。発呼者１０１が通知サービスの加入者である場合、アプリケーション・サーバ１０３は、通信ネットワーク１０２を介して発呼者１０１に通知を転送する（１００７）。アプリケーション・サーバ２０１は、発呼者１０１および被呼者１０３両方の無線装置に格納されている番号を与えられる。この番号は、加入料金用に使われ得る。加入により、通知の料金が、不在着信を開始した発呼者１０１によって負担されることが保証される。方法１０００の様々なアクションは、提示した順序で、異なる順序で、または同時に実施することができる。さらに、いくつかの実施形態では、図１０に列挙したいくつかのアクションは、省いてもよい。
【００２３】
図１１は、本明細書における実施形態による、被呼者に対していかなる確認も求められることなく、不在着信の受信確認に関する通知を発呼者に送信するフロー図を示す。発呼者１０１が、ネットワーク１０２を介して被呼者１０３への呼を開始する（１１０１）。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。発呼者１０１が話中の可能性があり、またはネットワークのカバー・エリアの外にいる可能性があるので、呼は不在着信となる場合がある。不在着信は、被呼者１０４の無線装置に記録される。発呼者１０１および被呼者１０４は両方とも、通知サービスに加入している。被呼者１０４が不在着信の記録を見ると、被呼者１０４の装置上のアプリケーション２０１が起動される。アプリケーション１０５は、通知を生成する（１１０２）。通知は、被呼者１０４に対するいかなる確認もなしで、アプリケーション・サーバ１０３に送信される（１１０３）。通知を受信した（１１０４）アプリケーション・サーバは、通知サービスに対する発呼者１０１の加入を確認する。さらに、発呼者１０４が通知サービスの登録加入者である場合、アプリケーション・サーバ１０３は、発呼者１０４に通知を転送する（１１０５）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。アプリケーション・サーバ１０３番号の番号は、発呼者１０１および被呼者１０４両方の無線装置に格納される。この番号は、加入料金用に使われ得る。加入モデルにより、通知の料金は、不在着信を開始した発呼者１０１によって負担される。ただし、被呼者１０４が通知サービスの料金を引き受けることも可能である。
【００２４】
図１２は、本明細書における実施形態による、被呼者の確認なしで、不在着信の受信確認に関する通知を発呼者に送信する方法を示すフロー図である。発呼者１０１が、被呼者１０３への呼を開始する（１２０１）。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。発呼者１０１が話中の可能性があり、またはネットワークのカバー・エリアの外にいる可能性があるので、呼は不在着信になる場合がある。不在着信は、被呼者１０４の無線装置における不在着信のリストに記録される。アプリケーション・サーバ１０３は、呼が不在着信であるかどうかチェックする（１２０２）。呼が不在着信でない場合、プロセスは終了する。発呼者１０１ならびに被呼者１０４は、その無線装置上にアプリケーション２０１をインストールしてある。アプリケーション２０１は、無線装置のユーザの要求により修正することができる。アプリケーション２０１は、被呼者１０４が被呼者１０４による不在着信の記録を見たかどうかチェックする（１２０３）。被呼者１０４が記録を見ると、アプリケーション２０１は、通知を生成する（１２０４）。アプリケーションは、被呼者１０４に対していかなる確認も求められることなく、アプリケーション・サーバ１０３に通知を送信する（１２０５）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。アプリケーション・サーバ１０３は、発呼者１０１が不在着信通知サービスの加入者であるかどうかチェックする（１２０６）。発呼者１０１が通知サービスの加入者である場合、アプリケーション・サーバ１０３は、通信ネットワーク１０２を介して発呼者１０１に通知を転送する（１２０７）。アプリケーション・サーバ２０１は、発呼者１０１および被呼者１０３両方の無線装置に格納されている番号を与えられる。この番号は、加入料金用に使われ得る。加入モデルにより、通知の料金は、不在着信を開始した発呼者１０１によって負担される。ただし、被呼者１０４が通知サービスの料金を引き受けることも可能である。方法１２００の様々なアクションは、提示した順序で、異なる順序で、または同時に実施することができる。さらに、いくつかの実施形態では、図１２に列挙したいくつかのアクションは、省いてもよい。
【００２５】
図１３は、本明細書における実施形態による、被呼者による、不在着信の受信確認に関する通知を与えるためのシステムを示すブロック図である。発呼者１０１が、ネットワーク１０２を介して、被呼者１０３への呼を開始する。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースでよい。被呼者１０４が不在着信の記録を見ると、被呼者１０４の無線装置１０４は通知を生成し、この通知はネットワーク１０２に送信される。無線装置は、被呼者１０４から確認を受信すると、ネットワーク１０２に通知を送信してよい。無線装置は、自動的に、すなわち被呼者１０４からのいかなる確認もなしで、ネットワーク１０２に通知を送信してもよい。通知は、被呼者１０４が不在着信を見た時刻、被呼者が不在着信の通知を受けた時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。ネットワーク１０２は、発呼者１０１に通知を転送し、こうすることによって、不在着信が被呼者１０４によって見られたことを発呼者１０１に通知する。
【００２６】
図１４は、本明細書における実施形態による、被呼者による確認があったとき、不在着信の通知を発呼者に送信するフロー図を示す。発呼者１０１は、被呼者１０４への呼を開始する（１４０１）。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースとして定義され得る。不在着信は、被呼者１０４の無線通信装置における不在着信のリストに記録される。発呼者１０１および被呼者１０４は両方とも、通知サービスに加入している。被呼者１０４が不在着信の記録を見ると、被呼者１０４の無線装置は、通知を生成する（１４０２）。ポップアップが、被呼者１０４の無線装置に現れ得る。ポップアップは、被呼者１０４に対して、通知を送信するための確認を依頼する。被呼者１０４が確認を行うと、被呼者１０４の無線装置は、発呼者１０１に通知を送信する（１４０３）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。
【００２７】
図１５は、本明細書における実施形態による、被呼者による確認があったとき、不在着信の受信確認に関する通知を発呼者に送信する方法を示すフロー・チャートである。発呼者１０１が、被呼者１０４に対して呼を始める（１５０１）。呼は、被呼者１０４が話中で呼に応答することができない可能性があり、またはネットワークのカバー・エリアの外にいる可能性があるので、不在着信となる場合がある。不在着信は、被呼者１０４の無線装置における不在着信のリストに記録される。被呼者１０４の無線装置は、発呼者１０１からの不在着信の記録を被呼者１０４が見たかどうかチェックする（１５０３）。被呼者１０４が記録を見ると、被呼者１０４の無線装置は、被呼者１０４の無線装置上で通知を生成する（１５０４）。被呼者１０４の無線装置は、ポップアップを使って被呼者１０４に対して確認を依頼する（１５０５）。被呼者１０４から確認を受信すると、被呼者１０４の無線装置は、発呼者１０１に通知を送信する（１５０６）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。方法１５００の様々なアクションは、提示した順序で、異なる順序で、または同時に実施することができる。さらに、いくつかの実施形態では、図１５に列挙したいくつかのアクションは、省いてもよい。
図１６は、本明細書における実施形態による、被呼者による、不在着信の受信確認に関する通知を与えるためのシステムを示すブロック図である。発呼者１０１が、ネットワーク１０２を介して、被呼者１０３への呼を開始する。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースでよい。被呼者１０４が不在着信の記録を見ると、無線装置上のアプリケーション２０１が起動される。アプリケーション２０１は、ユーザ定義でよい通知を生成する。アプリケーション２０１は、被呼者１０４から確認を受信すると、ネットワーク１０２に通知を送信してよい。アプリケーション２０１は、被呼者１０４が不在着信に対する受信確認を送信する前は通知を受けないように構成することもできる。これは、不在着信が受信確認された際に要求されていない通知を送信するように、被呼者がアプリケーションを設定しているケースである。アプリケーション２０１は、発呼者１０１にいかなる通知も送信しないように構成することもできる。アプリケーション２０１は、通知の一部として届けられるテキストを定義するという選択肢を被呼者に提供することもできる。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。ネットワーク１０２は、発呼者１０１に通知を転送し、こうすることによって、不在着信が被呼者１０４によって見られたことを発呼者１０１に通知する。
【００２８】
図１７は、本明細書における実施形態による、被呼者による確認があったとき、不在着信の受信確認に関する通知を発呼者に送信するフロー図を示す。発呼者１０１は、通信ネットワーク１０２を介して被呼者１０４への呼を開始する（１７０１）。ネットワーク１０２は単一のネットワークを備えてよく、この場合、発呼者１０１および被呼者１０４は同じネットワーク１０２に属す。被呼者１０４および発呼者１０１は異なるネットワークに属してもよく、この場合、発呼者１０１はネットワーク３０１に属し、被呼者１０４はネットワーク３０２に属す。被呼者１０４が呼を受けるのに失敗した場合、呼は不在着信になり得る。不在着信は、被呼者１０４によって応答されない呼、話中音を返す呼、または被呼者１０４の無線装置が電源をオフにされているか、もしくはカバー・エリアの外にあるケースとして定義され得る。不在着信は、被呼者１０４の無線通信装置における不在着信のリストに記録される。発呼者１０１および被呼者１０４は両方とも、通知サービスに加入している。被呼者１０４が不在着信の記録を見ると、被呼者１０４の無線装置上のアプリケーション２０１が起動される。アプリケーション２０１は、通知を生成する（１７０２）。被呼者１０４が確認を行うと、アプリケーション２０１は、発呼者１０１に通知を送信する（１７０３）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。
【００２９】
図１８は、本明細書における実施形態による、被呼者による確認があったとき、不在着信の受信確認に関する通知を発呼者に送信する方法を示すフロー・チャートである。発呼者１０１が、被呼者１０４に対して呼を始める（１８０１）。呼は、被呼者１０４が話中で呼に応答することができない可能性があり、またはネットワークのカバー・エリアの外にいる可能性があるので、不在着信となる場合がある。不在着信は、被呼者１０４の無線装置における不在着信のリストに記録される。発呼者１０１ならびに被呼者１０４は、その無線装置にアプリケーション２０１をインストールする。アプリケーション２０１は、発呼者１０１からの不在着信の記録を被呼者１０４が見たかどうかチェックする（１８０３）。被呼者１０４が記録を見ると、アプリケーション２０１は、被呼者１０４の無線装置上で通知を生成する（１８０４）。アプリケーション２０１は、ポップアップを使って被呼者１０４に対して確認を依頼する（１８０５）。被呼者１０４から確認を受信すると、アプリケーション２０１は、発呼者１０１に通知を送信する（１８０６）。通知は、被呼者１０４が不在着信を見た時刻、宛先アドレスとしての発呼者１０１のアドレスなどのような情報を含む。通知は、被呼者１０４によって定義することもできる。通知は、ＳＭＳ、ＭＭＳ、ＷＡＰメッセージまたは他の適切などのメッセージ通信手段の形でもよい。方法１８００の様々なアクションは、提示した順序で、異なる順序で、または同時に実施することができる。さらに、いくつかの実施形態では、図１８に列挙したいくつかのアクションは、省いてもよい。
【００３０】
本明細書で開示した実施形態は、少なくとも１つのハードウェア装置上で稼動するとともにネットワーク要素向けのサービス管理機能を実施する少なくとも１つのソフトウェア・プログラムにより実装することができる。図１〜４および図１３、１６に示すネットワーク要素は、ハードウェア装置、ソフトウェア・モジュールまたはハードウェア装置およびソフトウェア・モジュールの組合せの少なくとも１つでよいブロックを含む。
【００３１】
本明細書で開示した実施形態は、不在着信の受信確認に関する通知を発呼者に与える方法を明記している。本システムは、通知機構を提供するための、被呼および発呼者両方の加入を確認するアプリケーション・サーバを装備する。したがって、保護範囲は、このようなプログラムに、さらにはメッセージをその中にもつコンピュータ可読手段まで拡張され、このようなコンピュータ可読格納手段は、プログラムがサーバもしくは携帯装置または適切な任意のプログラム可能装置上で稼動すると、方法の１つまたは複数のステップを実装するためのプログラム・コード手段を含むことが理解されよう。本方法は、好ましい実施形態では、たとえば超高速集積回路ハードウェア記述言語（ＶＨＤＬ）、別のプログラミング言語で書かれたソフトウェア・プログラムにより、またはそのプログラムとともに実装され、あるいは１つもしくは複数のＶＨＤＬまたは少なくとも１つのハードウェア装置上で実行されるいくつかのソフトウェア・モジュールによって実装される。ハードウェア装置は、たとえばサーバやパーソナル・コンピュータなどのようなどの種類のコンピュータも、またはそのどの組合せ、たとえば１つのプロセッサおよび２つのＦＰＧＡも含む、プログラムされ得るどの種類の装置でもよい。装置は、たとえば、ＡＳＩＣのようなたとえばハードウェア手段、またはハードウェアおよびソフトウェア手段の組合せ、たとえばＡＳＩＣおよびＦＰＧＡ、またはソフトウェア・モジュールがその中にある少なくとも１つのマイクロプロセッサおよび少なくとも１つのメモリでよい手段も含み得る。したがって、こうした手段は、少なくとも１つのハードウェア手段および／または少なくとも１つのソフトウェア手段である。本明細書に記載した方法実施形態は、純粋なハードウェアで、または部分的にはハードウェア、および部分的にはソフトウェアで実装することができよう。装置は、ソフトウェア手段のみを含んでもよい。あるいは、本発明は、たとえば複数のＣＰＵを使って、異なるハードウェア装置上で実装され得る。
【図１】
2012518310.tif 000003
【図２】
2012518310.tif 000004
【図３】
2012518310.tif 000005
【図４】
2012518310.tif 000006
【図５】
2012518310.tif 000007
【図６−１】
2012518310.tif 000008
【図６−２】
2012518310.tif 000009
【図７】
2012518310.tif 000010
【図８−１】
2012518310.tif 000011
【図８−２】
2012518310.tif 000012
【図９】
2012518310.tif 000013
【図１０−１】
2012518310.tif 000014
【図１０−２】
2012518310.tif 000015
【図１１】
2012518310.tif 000016
【図１２−１】
2012518310.tif 000017
【図１２−２】
2012518310.tif 000018
【図１３】
2012518310.tif 000019
【図１４】
2012518310.tif 000020
【図１５】
2012518310.tif 000021
【図１６】
2012518310.tif 000022
【図１７】
2012518310.tif 000023
【図１８】
2012518310.tif 000024
【国際調査報告】
2012518310.tif 000025
2012518310.tif 000026
2012518310.tif 000027